(57)【要約】【課題】携帯性に優れ、表示能力の高い表示機器を提供する。【解決手段】表示機器１は、光の投影方向に対して横方向に長尺な第一投影ユニット１０、第二投影ユニット３０、及び、第三投影ユニット５０を備える。第二投影ユニット３０は、第一投影ユニット１０の長尺方向の一端において、第一投影ユニット１０に対して折り畳み可能に連結される。第三投影ユニット５０は、スライドにより、第二投影ユニット３０内に収納可能な状態で、第二投影ユニット３０に連結される。第一投影ユニット１０、第二投影ユニット３０及び第三投影ユニット５０の夫々は、底面に沿って配置されるスクリーン１００上に光を投影することにより、スクリーン１００上に画像を表示する。この際、第二投影ユニット３０及び第三投影ユニット５０は、第一投影ユニット１０と重複するスクリーン１００上の領域に、第一投影ユニット１０と同一の画像を表示する。【選択図】図１
2014106290.tif 000002
【特許請求の範囲】
【請求項１】
光の投影方向に対して横方向に長尺な投影ユニット
を備え、前記投影ユニットは、底面に沿って配置されるスクリーン上に前記光を投影することにより、前記スクリーン上に画像を表示する構成にされていること
を特徴とする表示機器。
【請求項２】
光の投影方向に対して横方向に長尺な第一投影ユニットと、
前記第一投影ユニットの長尺方向の一端において、前記第一投影ユニットに対して折り畳み可能及び展開可能に連結された投影ユニットであって、光の投影方向に対して横方向に長尺な第二投影ユニットと、
を備え、
前記第一投影ユニット及び前記第二投影ユニットの夫々は、前記第二投影ユニットが前記第一投影ユニットから前記展開された状態において、前記第一投影ユニット及び前記第二投影ユニットの底面に沿って配置されるスクリーン上に前記光を投影することにより、前記スクリーン上に画像を表示する構成にされていること
を特徴とする表示機器。
【請求項３】
前記第二投影ユニットは、前記展開された状態において、前記スクリーン上の前記第一投影ユニットが画像を表示する領域と重複する領域に、前記第一投影ユニットとは異なる前記投影方向から前記光を投射して、前記画像を表示する構成にされ、
前記表示機器は、前記第一投影ユニット及び前記第二投影ユニットによる画像表示により、前記重複する領域に、前記第一投影ユニットが表示する画像と、前記第二投影ユニットが表示する画像との合成画像を表示すること
を特徴とする請求項２記載の表示機器。
【発明の詳細な説明】
【技術分野】
【０００１】
本発明は、表示機器に関する。
【背景技術】
【０００２】
従来、表示機器としては、液晶ディスプレイ上に画像を表示するものや、スクリーンに光を投影することにより、スクリーン上に画像を表示するプロジェクタ等が知られている。液晶ディスプレイ上に画像を表示する機器としては、スマートフォン、タブレット端末及び電子書籍端末等のユーザが持ち運び可能な情報機器が知られている。
【０００３】
また、プロジェクタとしては、携帯電話から送信されたデータを受信し、受信したデータに基づく画像を、スクリーン上に表示するものが知られている（例えば、特許文献１参照）。この他、プロジェクタとしては、複数の投影光学系を有し、これら複数の投影光学系の夫々が投影する画像を、スクリーン上で結合して、スクリーン上で結合画像を表示するものが知られている（例えば、特許文献２参照）。
【先行技術文献】
【特許文献】
【０００４】
【特許文献１】特開２００５−２９２７０３号公報
【特許文献２】特開２００９−２３７４７４号公報
【発明の概要】
【発明が解決しようとする課題】
【０００５】
ところで、上述したタブレット端末や電子書籍端末等には、インターネット上のホームページや電子書籍を快適に利用できるように、大きな液晶ディスプレイが搭載される例が多い。しかしながら、このような大きなディスプレイを搭載する情報機器には、携帯性に欠点がある。一方、携帯性に優れた情報機器としては、小さい液晶ディスプレイを備えたスマートフォンが知られている。しかしながら、この種の情報機器には、ディスプレイ上に表示できる情報量が少なく、表示能力に欠点がある。
【０００６】
本発明は、こうした問題に鑑みなされたものであり、携帯性に優れ、表示能力の高い表示機器を提供することを目的とする。
【課題を解決するための手段】
【０００７】
上記目的を達成するためになされた本発明の表示機器は、光の投影方向に対して横方向に長尺な投影ユニットを備える。この投影ユニットは、底面に沿って配置されるスクリーン上に光を投影することにより、スクリーン上に画像を表示する。
【０００８】
ここで言うスクリーンは、投影ユニットから投射される光を受けて画像を表示可能なものであれば十分であり、専用のスクリーンに限定されない。即ち、スクリーンには、当該画像を表示可能な用紙や、ホワイトボード、テーブルの天板、壁等も含まれる。但し、投影ユニットには、上記専用のスクリーンとして、ロールスクリーン等を内蔵することも可能である。
【０００９】
この表示機器によれば、ユーザは、例えばノートやテーブル等のスクリーンとして機能する物体上に表示機器を配置することで、これを、表示面積の広いディスプレイの代わりとして用いることができ、表示画像から快適に各種情報を得ることができる。この他、投影ユニットがロールスクリーンを内蔵する場合、ユーザは、使用時にスクリーンを引き出すことで、このスクリーン上の表示画像から快適に各種情報を得ることができる。
【００１０】
このように本発明の表示機器は、投影による画像表示によって、液晶ディスプレイを有する従来の情報機器（タブレットや電子書籍端末等）よりも、そのサイズに対して、スクリーン上の広い領域に画像を表示することができる。
【００１１】
そして、ユーザは、表示機器をスクリーン上に配置したり、ロールスクリーンからスクリーンを引き出したりする程度で、広い情報画面を得ることができ、この情報画面から快適に各種情報を得ることができる。従って、本発明によれば、携帯性に優れ、表示能力の高い表示機器を提供することができる。
【００１２】
ところで、本発明の表示機器は、投影ユニットを複数備えた構成にすることができる。更に、この表示機器は、携帯性が低下しないよう、特定の投影ユニットの筐体内に他の投影ユニットを収納可能に、複数の投影ユニットを連結した構成にすることができる。この他、表示機器は、複数の投影ユニットを折り畳み可能に連結した構成にすることができる。
【００１３】
例えば、表示機器は、第一投影ユニット及び第二投影ユニットを備え、第一投影ユニットに対して折り畳み可能、及び、第一投影ユニットに対して折り畳まれた状態から展開可能に、第二投影ユニットを第一投影ユニットに連結した構成にすることができる。
【００１４】
この表示機器において、第一投影ユニット及び第二投影ユニットの夫々は、光の投影方向に対して横方向に長尺な投影ユニットとして構成され得る。この他、第二投影ユニットは、第一投影ユニットの長尺方向の一端において第一投影ユニットに連結された構成にされ得る。
【００１５】
更に、第一投影ユニット及び第二投影ユニットの夫々は、第二投影ユニットが第一投影ユニットから展開された状態において、第一投影ユニット及び第二投影ユニットの底面に沿って配置されるスクリーン上に光を投影することにより、このスクリーン上に画像を表示する構成にすることができる。
【００１６】
この表示機器によれば、ユーザは、表示能力の高い表示機器を折り畳んでコンパクトに持ち運ぶことができる。従って、本発明によれば、一層携帯性に優れ利便性の高い表示機器を提供することができる。
【００１７】
具体的に、この表示機器において、第二投影ユニットは、第一投影ユニットの底面と平行な面上で、第一投影ユニットに対して回動可能に連結されることによって、第一投影ユニットに対して折り畳み可能及び展開可能な構成にされ得る。
【００１８】
また、第二投影ユニットは、展開された状態において、スクリーン上の第一投影ユニットが画像を表示する領域と異なる領域に、画像を表示する構成にされ得る。
この他、第二投影ユニットは、スクリーン上の第一投影ユニットが画像を表示する領域と重複する領域に、第一投影ユニットとは異なる投影方向から光を投射して、画像を表示する構成にされてもよい。具体的に、第二投影ユニットは、スクリーン上の第一投影ユニットが画像を表示する領域の全領域又は一部領域において、画像を重畳表示する構成にされ得る。この画像表示により、表示機器は、上記重複する領域に、第一投影ユニットが表示する画像と、第二投影ユニットが表示する画像との合成画像を表示することができる。
【００１９】
このような表示形態によれば、第一投影ユニット及び第二投影ユニットによりスクリーン上に表示される画像（情報画面）の面積が減少する一方、表示機器による画像の表現能力を高めることができる。
【００２０】
例えば、上記重複する領域に、第一投影ユニットが表示する画像と同一の画像を第二投影ユニットにより表示すれば、ユーザが、第一投影ユニットによる光の投影経路に指を挿入するなどしても、第二投影ユニットによる同一画像の表示により、スクリーン上に、指の影ができるのを抑えて、良好に画像を表示することができる。即ち、第一投影ユニットと第二投影ユニットとで同一画像を重複表示すれば、障害物による影の生じにくい表現能力に優れた表示機器を提供することができる。
【００２１】
また、第一投影ユニット及び第二投影ユニットを備える表示機器において、第二投影ユニットは、少なくとも第一投影ユニットに対して直交する位置まで展開可能な構成にされるとよい。このような構成によれば、第一投影ユニットの長尺方向に沿う辺と、第二投影ユニットの長尺方向に沿う辺とを備える四角形状（矩形状）の領域に、第一投影ユニット及び第二投影ユニットを用いて、障害物による影の生じにくい形態で適切に画像表示を行うことができる。
【００２２】
また、表示機器は、第二投影ユニット内に収納可能な状態で、第二投影ユニットに連結される第三投影ユニットを備えた構成にすることができる。具体的に、第三投影ユニットは、第二投影ユニット内から展開された状態において、第二投影ユニットの長尺方向に沿う延長線上に配置されるように、第二投影ユニットに連結された構成にすることができる。
【００２３】
更に、第三投影ユニットは、第二投影ユニットの長尺方向に沿う延長線上に配置された状態で、スクリーン上の第二投影ユニットが画像を表示する領域の隣接領域に光を投影することにより、この隣接領域に、第二投影ユニットが表示する画像に連続する画像を表示する構成にすることができる。
【００２４】
周知のように電子書籍等の画像は、縦横比の異なる画像である。よって、縦横比の異なる画像をスクリーン上に表示しようとした場合であって、上記第三投影ユニットを設けない場合には、第一投影ユニット及び第二投影ユニットを異なるサイズのものとする必要が生じる可能性がある。そして、第一投影ユニット及び第二投影ユニットを異なるサイズのものとする場合には、第二投影ユニットを第一投影ユニットに対して折り畳んだ状態での表示機器のサイズが、大きい投影ユニット側のサイズの制約を受ける結果となる。
【００２５】
一方、上述したように第三投影ユニットを設ければ、このような制約を受けるのを抑えて、表示機器をコンパクトな構成とすることができる。
この他、本発明の表示機器は、ユーザからの入力操作を受け付ける入力装置（手段）を備えた構成にすることができる。即ち、第一投影ユニット、第二投影ユニット及び第三投影ユニット等の上述した投影ユニットの夫々は、入力装置にて受け付けられたユーザの入力操作に従って、表示制御を行い、スクリーン上に表示する画像を切り替える構成にすることができる。
【００２６】
入力装置は、メカニカルな操作スイッチであってもよいし、ユーザのスクリーンに対する操作（タッチ操作等）を検知することで、ユーザからの入力操作を受け付けるものであってもよい。また、ユーザからの音声操作を受け付けるものであってもよい。これらの入力装置は、上述した投影ユニットの一つ以上に設けることができる。更に言えば、この表示機器には、複数種類の入力装置を設けることができる。
【００２７】
この他、表示機器には、複数の投影ユニットを統括制御する制御装置（手段）を設けることができる。更に、表示機器には、投影ユニットに表示させる情報コンテンツ（電子書籍等）を記憶する記憶装置（手段）を設けることができる。
【００２８】
一方、表示機器は、外部情報端末からの受信信号に基づき、スクリーンに画像表示する構成にされてもよい。具体的に、表示機器は、外部情報端末と通信可能な通信装置（手段）を備える構成にすることができ、この通信装置を通じて外部情報端末からの送信信号を受信可能な構成にすることができる。通信装置は、有線により通信を行うものであってもよいが、無線により通信を行うものであると、便利である。
【００２９】
そして、投影ユニットの夫々は、スクリーン上に、外部情報端末からの受信信号に基づく画像を表示する構成にすることができる。例えば、投影ユニットの夫々は、外部情報端末が有する情報コンテンツに基づく画像をスクリーン上に表示する構成にすることができる。
【００３０】
このような構成の表示機器によれば、例えば、スマートフォン等の小型情報端末が有する電子書籍等の情報コンテンツに基づく画像をスクリーン上に大きく表示することができ、ユーザにとっては、大変便利である。
【図面の簡単な説明】
【００３１】
【図１】表示機器１の上面図である。
【図２】表示機器１の斜視図である。
【図３】表示機器１が備える投影ユニット１０のスクリーン垂直方向断面の構成を光の投射方向と共に概略的に示す図である。
【図４】表示機器１の電気的構成を表すブロック図である。
【図５】第三投影ユニット５０が第二投影ユニット３０の筐体内に収納された状態を、第三投影ユニット５０を透過して表す表示機器１の斜視図である。
【図６】折り畳まれた状態における表示機器１の斜視図である。
【図７】制御装置１１が実行する表示制御処理を表すフローチャートである。
【図８】制御装置１１が実行するページめくり操作受付処理を表すフローチャートである。
【図９】ロールスクリーン７０を内蔵する変形例の表示機器２の上面図である。
【図１０】表示機器２が備える投影ユニット１０のスクリーン垂直方向断面の構成を概略的に示す図である。
【図１１】磁石８０を内蔵する変形例の表示機器３が備える投影ユニット１０のスクリーン垂直方向断面の構成を概略的に示す図である。
【図１２】スクリーン１００に貼り付けられて使用される表示機器３の当該使用形態を示す図である。
【図１３】変形例の表示機器４についての各形態を示す図である。
【発明を実施するための形態】
【００３２】
以下に本発明の実施例について、図面と共に説明する。
本実施例の表示機器１は、図１〜図３に示すように、スクリーンとして機能する物体（符号１００）上に、光を投射することにより、この物体上に画像Ｇ０を表示するものである。この表示機器１は、複数の投影ユニット１０，３０，５０が連結された構成にされる。以下では、スクリーンとして機能する物体（符号１００）のことを、単にスクリーン１００と表現する。また、投影ユニット１０，３０，５０の内、投影ユニット１０のことを、特に、第一投影ユニット１０と表現し、投影ユニット３０のことを、第二投影ユニット３０と表現し、投影ユニット５０のことを、第三投影ユニット５０と表現する。
【００３３】
これら複数の投影ユニット１０，３０，５０の夫々は、図２に示すように、光の投影方向に対して横方向に長尺な構成にされる。図２及び図３には、光の投影方向を点線で示す。これらの投影ユニット１０，３０，５０の夫々は、図３に示すように、自己の底面１０Ｂ，３０Ｂ，５０Ｂに沿って配置されるスクリーン１００上に光を投影することにより、スクリーン１００上に画像を表示する。
【００３４】
図３においては、スクリーン１００に垂直な面から見た第一投影ユニット１０による光の投影方向及び第一投影ユニット１０の底面１０Ｂを示すが、括弧書きで示すように、この図は、およそ第二投影ユニット３０による光の投影方向及び第二投影ユニット３０の底面３０Ｂ、並びに、第三投影ユニット５０による光の投影方向及び第三投影ユニット５０の底面５０Ｂを示す図としても解釈することができる。
【００３５】
図１及び図３に示すスクリーン１００としては、例えば、ノート等の用紙を一例に挙げることができる。この表示機器１によれば、ユーザは、スクリーンとして機能する物体の上に表示機器１を配置する程度で、これを、表示面積の広いディスプレイの代わりとして用いることができ、表示機器１の表示画像Ｇ０から快適に各種情報を得ることができる。
【００３６】
詳述すると、第一投影ユニット１０は、図４に示すように、制御装置１１、入力装置１３、状態検知装置１５、無線通信装置１７、第一投影機１９、及び、バッテリ２１を筐体内に備える。バッテリ２１は、投影ユニット１０，３０，５０を含む表示機器１内の各部に電力を供給するためのものである。本実施例の表示機器１は、バッテリ２１からの電力供給を受けて動作する。
【００３７】
制御装置１１は、表示機器１内の各部を統括制御するものであり、ＣＰＵ１１Ａ、ＲＯＭ１１Ｂ、及び、ＲＡＭ１１Ｃを備える。ＣＰＵ１１Ａは、ＲＯＭ１１Ｂに記憶されたプログラムに従う処理を、ＲＡＭ１１Ｃを作業用メモリとして実行する。これにより、表示機器１内の各部を統括制御する。
【００３８】
一方、入力装置１３は、ユーザからの操作を受け付けるインタフェースとして機能する。この入力装置１３は、ユーザの操作を受け付けて、対応する操作信号を制御装置１１に入力する。具体的に、本実施例の入力装置１３は、ユーザが押下操作可能な二つのボタンスイッチ１３Ｘ，１３Ｙ（図１及び図２等参照）を、第一投影ユニット１０の筐体から露出するように備えた構成され、操作信号として、ボタンスイッチ１３Ｘ，１３Ｙのオン／オフ信号を制御装置１１に入力する。
【００３９】
また、状態検知装置１５は、第一投影ユニット１０の第二投影ユニット３０に対する開閉状態（換言すれば、投影ユニット３０の投影ユニット１０に対する開閉状態）を検知するセンサにより構成される。
【００４０】
図５及び図６に示すように、第一投影ユニット１０は、第二投影ユニット３０の長尺方向の一端において、第二投影ユニット３０に対して回動可能に連結されている。図５に示す実線矢印は、その回動方向を表す。その回動可能な角度は、最大９０度である。図５においては、第一投影ユニット１０が、第二投影ユニット３０に対して９０度の角度で配置された状態を示し、図６においては、第一投影ユニット１０が第二投影ユニット３０に対して完全に折り畳まれた状態を示す。
【００４１】
このように、第一投影ユニット１０及び第二投影ユニット３０の夫々は、互いに、第一投影ユニット１０の底面１０Ｂ及び第二投影ユニット３０の底面３０Ｂと平行な面上で、相手に対して０度から９０度の範囲で回動可能に連結されている。この連結により、表示機器１が備える第一投影ユニット１０及び第二投影ユニット３０の夫々は、互いに、相手に対して折り畳み可能及び展開可能な構成にされる。
【００４２】
状態検知装置１５は、図１において破線で示すように、第一投影ユニット１０と第二投影ユニット３０との連結部位に設けられて、上記開閉状態を検知し、この検知信号を制御装置１１に入力する。
【００４３】
具体的に、状態検知装置１５は、図１、図２及び図５に示すように、第一投影ユニット１０及び第二投影ユニット３０が互いに９０度の角度まで回動（展開）された状態にあるときに、第一投影ユニット１０が第二投影ユニット３０に対して開いた状態であることを示す信号を、上記検知信号として出力し、それ以外の場合には、第一投影ユニット１０が第二投影ユニット３０に対して閉じた状態であることを示す信号を、上記検知信号として出力する。尚、開閉状態を検知するセンサは、周知であるため、ここでは、これ以上の詳細な説明を省略する。
【００４４】
制御装置１１は、この検知信号の入力を受けて、第一投影ユニット１０が第二投影ユニット３０に対して折り畳まれた状態から展開された場合には、ウェイクアップし、スクリーン１００上に画像を表示するための処理を実行する。一方、制御装置１１は、第一投影ユニット１０が第二投影ユニット３０に対して折り畳まれた場合には、スリープ状態に移行し、表示機器１内各部の動作を一旦休止させる。
【００４５】
また、無線通信装置１７は、外部情報端末５００と無線通信可能な通信インタフェースにより構成されるものである。採用可能な無線通信規格としては、ブルートゥース（登録商標）通信規格や、Ｗｉ−Ｆｉ（登録商標）通信規格を一例に挙げることができる。外部情報端末５００としては、ユーザが所有するスマートフォン等の小型情報端末を一例に挙げることができる。
【００４６】
制御装置１１は、第一投影ユニット１０が第二投影ユニット３０に対して展開されている状態において、外部情報端末５００から電子書籍等の表示対象データを、無線通信装置１７を介して受信する。そして、後述する第一投影機１９、第二投影機３９及び第三投影機５９に対する表示制御を実行することにより、スクリーン１００に、上記表示対象データに基づく画像が表示されるようにする。
【００４７】
この他、第一投影機１９は、第一投影ユニット１０の長尺方向に沿って配置され、第一投影ユニット１０の底面に沿って配置されるスクリーン１００に向けて、光を投射することにより、スクリーン１００上に画像を表示する。図１においては、一点鎖線により、筐体内での第一投影機１９の配置を概略的に示す。
【００４８】
第一投影機１９は、例えば、長尺な透過型液晶パネルを、第一投影ユニット１０の底面に沿って備え、この液晶パネルを透過して上方へ伝播する光源からの光を、液晶パネルの上方に設けられた、スクリーン１００側を向くミラーにより反射させることにより、スクリーン１００に画像を形成する構成にすることができる。但し、表示機器１に用いられる投影機は、上記構成の投影機に限定されない。
【００４９】
第一投影機１９は、図１に示すように、第一投影ユニット１０と第二投影ユニット３０とが９０度の角度で直交するように配置された状態において、表示機器１からの相対位置で定まるスクリーン１００上の所定領域に対し、制御装置１１からの制御信号に基づく光を投射して、この領域に画像Ｇ０を形成する。
【００５０】
付言すれば、第一投影機１９は、第一投影機１９の長尺方向の長さに対応する横幅、及び、第二投影ユニット３０が有する第二投影機３９の第一投影ユニット１０側の端から、第三投影ユニット５０が有する第三投影機５９の第二投影ユニット３０側とは反対側の端までの長さに対応する縦幅を有する表示領域に光を投射する。このような光の投射により、所定の表示領域に、例えば、図１に示すような画像Ｇ０を表示する。
【００５１】
一方、第一投影ユニット１０に回動可能に接続される第二投影ユニット３０は、制御装置１１に信号線（図示せず）を介して接続された第二投影機３９を筐体内に備えた構成にされる。
【００５２】
第二投影ユニット３０は、第二投影ユニット３０の長尺方向に沿って配置され、第二投影ユニット３０の底面に沿って配置されるスクリーン１００に向けて、光を投射することにより、スクリーン１００上に画像を表示する。図１においては、一点鎖線により、筐体内での第二投影機３９の配置を概略的に示す。第二投影機３９としては、第一投影機１９と同種の投影機を採用することができる。
【００５３】
この第二投影機３９は、図１に示すように、第一投影ユニット１０と第二投影ユニット３０とが９０度の角度で直交するように配置された状態において、第一投影機１９が画像Ｇ０を表示する領域の内、第二投影機３９による光の投影方向前方に位置する区画Ｒ１に対して、制御装置１１からの制御信号に基づく光を投射し、この領域（区画Ｒ１）に、第一投影機１９が区画Ｒ１に表示する画像と同一の画像を、第一投影機１９が形成する画像に重ねて形成する。
【００５４】
また、第二投影ユニット３０は、図５に示すように、第三投影ユニット５０を筐体内に収納するための空間を有しており、第三投影ユニット５０を筐体内に収納するための開口部３０Ｐを、第一投影ユニット１０との連結部位とは反対側の端部に有する。
【００５５】
第三投影ユニット５０は、この開口部３０Ｐを通じて第二投影ユニット３０の筐体内に収納可能な状態で、第二投影ユニット３０に連結された構成にされる。図５においては、第二投影ユニット３０の筐体内に位置する第三投影ユニット５０及びスライド機構３１を破線により概略的に示す。
【００５６】
第二投影ユニット３０と第三投影ユニット５０との連結部位には、スライド機構３１が設けられており、第三投影ユニット５０は、このスライド機構３１によって、第二投影ユニット３０の長尺方向（図５一点鎖線矢印方向）に沿って第二投影ユニット３０の筐体内から引出可能、及び、第二投影ユニット３０の筐体内に収納可能に、第二投影ユニット３０に連結される。
【００５７】
スライド機構３１は、例えば、第二投影ユニット３０の筐体内側における第三投影ユニット５０の上面及び底面と対向する二つの面において、長尺方向に沿って設けられたレールと、第三投影ユニット５０の筐体上面及び底面に設けられた、上記レール上を移動可能な連結材とを、備えた構成にされる。
【００５８】
第三投影ユニット５０は、第二投影ユニット３０の筐体内から限界まで引き出された状態において、第二投影ユニット３０の筐体外に配置される部位に、第三投影機５９を、第三投影ユニット５０の長尺方向に沿って備えた構成にされる。図１においては、一点鎖線により、第三投影ユニット５０の筐体内での第三投影機５９の配置を概略的に示す。第三投影機５９としては、第一投影機１９及び第二投影機３９と同種の投影機を採用することができる。
【００５９】
この第三投影機５９は、図１に示すように、第一投影ユニット１０と第二投影ユニット３０とが９０度の角度で直交するように配置された状態において、第一投影機１９が画像Ｇ０を表示する領域の内、第三投影機５９による光の投影方向前方に位置する区画Ｒ２に対して、制御装置１１からの制御信号に基づく光を投射し、この区画Ｒ２に、第一投影機１９が区画Ｒ２に表示する画像と同一の画像を、第一投影機１９が形成する画像に重ねて形成する。
【００６０】
即ち、第三投影機５９は、第三投影ユニット５０が第二投影ユニット３０の長尺方向に沿う延長線上に引き出された状態で、第二投影ユニット３０が画像を表示する領域の隣接領域（区画Ｒ２）に、第二投影ユニット３０が表示する画像に連続する画像を表示する。
【００６１】
続いて、制御装置１１が実行する処理について説明する。制御装置１１は、第一投影ユニット１０が第二投影ユニット３０に対して折り畳まれた状態から展開されてウェイクアップすると、図７に示す表示制御処理を開始する。
【００６２】
この表示制御処理を開始すると、制御装置１１は、状態検知装置１５からの検知信号に基づき、第一投影ユニット１０が第二投影ユニット３０に対して展開された状態にあるか否かを判断する（Ｓ１１０）。
【００６３】
そして、展開された状態にあると判断すると（Ｓ１１０でＹｅｓ）、無線通信装置１７を介して、予め登録された外部情報端末５００と通信を行い、受信していない表示対象データがあれば、外部情報端末５００から、この表示対象データを受信する（Ｓ１２０）。
【００６４】
そして、第一投影機１９、第二投影機３９及び第三投影機５９に対する表示制御を行うことにより、第一投影機１９、第二投影機３９及び第三投影機５９に表示対象データに基づく画像をスクリーン１００上に表示させる（Ｓ１３０）。その後、Ｓ１１０に移行する。
【００６５】
具体的に、Ｓ１３０では、入力装置１３からの操作信号に従って、ユーザから指示された画像がスクリーン１００上に表示されるように、第一投影機１９、第二投影機３９及び第三投影機５９に対する表示制御を行う。例えば、表示対象データが、複数ページ分の画像データ（ページデータ）を有するマルチページデータである場合には、図８に示すページめくり操作受付処理を実行することにより、ユーザからのページめくり操作に従う表示ページの切り替えがなされるように、第一投影機１９、第二投影機３９及び第三投影機５９に対する表示制御を行う。このようにして、本実施例によれば、入力装置１３を介したユーザの入力操作に従って、スクリーン１００上に表示する画像を切り替える。
【００６６】
図８に示すように、このページめくり操作受付処理では、入力装置１３からの操作信号に基づいて、ユーザが次ページへのページめくり操作を行ったか否かを判断し（Ｓ２１０）、次ページへのページめくり操作を行ったと判断すると（Ｓ２１０でＹｅｓ）、スクリーン１００上に表示されるページが、次ページに切り替わるように、第一投影機１９、第二投影機３９及び第三投影機５９に対する表示制御を行う（Ｓ２２０）。その後、当該ページめくり操作受付処理を終了する。
【００６７】
一方、制御装置１１は、Ｓ２１０で否定判断すると、ユーザが前ページへのページめくり操作を行ったか否かを判断し（Ｓ２３０）、前ページへのページめくり操作を行ったと判断すると（Ｓ２３０でＹｅｓ）、スクリーン１００上に表示されるページが、前ページに切り替わるように、第一投影機１９、第二投影機３９及び第三投影機５９に対する表示制御を行う（Ｓ２４０）。その後、当該ページめくり操作受付処理を終了する。一方、ページめくり操作が行われていないと判断すると（Ｓ２３０でＮｏ）、Ｓ２２０，Ｓ２４０のいずれの処理も実行することなく、当該ページめくり操作受付処理を終了する。
【００６８】
制御装置１１は、このようにしてＳ１３０での表示制御を、状態検知装置１５からの検知信号に基づき、第一投影ユニット１０が第二投影ユニット３０に対して折り畳まれたと判断するまで繰り返し実行し、折り畳まれたと判断すると（Ｓ１１０でＮｏ）、第一投影機１９、第二投影機３９及び第三投影機５９からの光の投射による画像表示を止めて（Ｓ１４０）、当該表示制御処理を終了する。
【００６９】
そして、折り畳まれた後、所定時間内に、再び、第一投影ユニット１０が第二投影ユニット３０に対して展開された場合には、表示制御処理を開始する。一方、折り畳まれた後、所定時間が経過した後には、スリープ状態に移行する。そして、第一投影ユニット１０が第二投影ユニット３０に対して展開されてウェイクアップするまで、スリープ状態を維持する。
【００７０】
以上、表示機器１の構成について説明したが、この表示機器１によれば、投影ユニット１０，３０，５０が、底面に沿って配置されるスクリーン１００上に光を投影することにより、スクリーン１００上に画像を表示する。このように、本実施例によれば、投影による画像表示を行うので、従来の情報機器（タブレットや電子書籍端末等）よりも、そのサイズに対して、スクリーン１００上の広い領域に画像を表示することができる。
【００７１】
特に、本実施例によれば、投影機１９，３９，５９が光の投影方向に対して横方向に長尺に構成されているので、スクリーン１００に対して高い位置から投影をしなくても、投影方向前方に、横幅の広い画像を綺麗に表示することができる。従って、本実施例によれば、携帯性に優れ、表示能力に優れた表示機器１を提供することができる。
【００７２】
更に言えば、本実施例によれば、ユーザは、第三投影ユニット５０を第二投影ユニット３０に収納し、第一投影ユニット１０と第二投影ユニット３０とを折り畳んで、表示機器１をコンパクトに持ち運ぶことができる。また、ユーザは、表示機器１を展開して、スクリーンとして機能する用紙等の物体上に配置する程度で、広い情報画面を得ることができる。従って、本実施例によれば、携帯性に優れ、利便性の高い表示機器１を提供することができる。
【００７３】
この他、本実施例によれば、第一投影ユニット１０、第二投影ユニット３０及び第三投影ユニット５０により同一画像を重複表示する。即ち、第一投影ユニット１０がスクリーン１００上に表示する画像と同一の画像を、第二投影ユニット３０及び第三投影ユニット５０によりスクリーン１００上に重畳表示する。これにより、第一投影ユニット１０による画像と、第二投影ユニット３０及び第三投影ユニット５０による画像との合成画像をスクリーン１００上に表示する。
【００７４】
このように、同じ領域に、第一投影ユニット１０が表示する画像と同一の画像を、第二投影ユニット３０及び第三投影ユニット５０により、第一投影ユニット１０とは異なる方向からの光の投射により表示すれば、ユーザが光の投影経路に指を挿入する等しても、スクリーン１００上に、指の影ができるのを抑えて、良好に画像を表示することができる。特に、本実施例によれば、表示領域全体に対して、画像を重畳表示する。従って、障害物による影の生じにくい表現能力に優れた表示機器１を提供することができる。
【００７５】
また、本実施例によれば、第一投影ユニット１０に対して、第二投影ユニット３０及び第三投影ユニット５０が直交配置された状態で、第一投影ユニット１０の長尺方向に沿う辺と、第二投影ユニット３０及び第三投影ユニット５０の長尺方向に沿う辺とを備える四角形状（矩形状）の領域に、同一画像を重畳表示するので、用紙等の矩形のスクリーン１００に適合した適切な画像を表示することができる。
【００７６】
この他、本実施例によれば、電子書籍や外部情報機器の画面が縦横比の異なる画像であることを考慮して、表示機器１を、縦横比の異なる画像を表示可能な構成にしたが、この際、第二投影ユニット３０を長く構成するのではなく、第二投影ユニット３０に対して収納可能に第三投影ユニット５０を連結することで、表示機器１が折り畳み時にも大型化しないようにした。従って、本実施例によれば、一層利便性の高い表示機器１を提供することができる。
【００７７】
ところで、本発明は、上記実施例に限定されるものではなく、種々の態様を取ることができる。
例えば、表示機器１が備える入力装置１３としては、ボタンスイッチ１３Ｘ，１３Ｙを備える入力装置１３を一例に挙げたが、入力装置１３は、例えば、マイクロフォンを備え、マイクロフォンによりユーザからの音声操作を受け付けるものであってもよい。この場合、制御装置１１は、マイクロフォンからの入力音声を解析して、音声によるユーザからの操作コマンドに基づく処理を実行する構成にすることができる。
【００７８】
この他、入力装置１３は、ユーザのスクリーン１００に対する操作（タッチ操作等）を検知することにより、ユーザからの入力操作を受け付けるものであってもよい。例えば、入力装置１３は、異なる位置からスクリーン１００周辺を撮影する複数のカメラを備え、これらカメラによる撮影画像から、タッチ位置を含むユーザのスクリーン１００に対する操作（タッチ操作等）を検知する構成にすることができる。この場合、複数のカメラは、複数の投影ユニット１０，３０，５０に分散配置することができる。
【００７９】
また、入力装置１３は、複数の手法でユーザからの入力操作を受け付けるものであってもよい。例えば、入力装置１３は、ボタンスイッチ１３Ｘ，１３Ｙ及びマイクロフォンを備え、ユーザからのボタンスイッチ１３Ｘ，１３Ｙによる操作及び音声操作を受け付けるものであってもよい。
【００８０】
また、上記実施例によれば、表示機器１は、無線通信により外部情報端末５００と接続されるが、表示機器１は、ＵＳＢインタフェース等の有線ケーブルにより外部情報端末５００と接続されて、表示対象データを取得する構成にされてもよい。更に言えば、表示機器１は、着脱自在な半導体製記憶装置であるメモリカード内のデータを読取可能な読取デバイス（メモリスロット）を備え、装着されたメモリカードから表示対象データを取得する構成にされてもよい。この他、表示機器１が備える第一投影機１９、第二投影機３９及び第三投影機５９は、有線ケーブル等を介して、外部情報端末のマイクロコンピュータにより直接制御されてもよい。
【００８１】
また、上記制御装置１１は、ＲＯＭ１１Ｂとして、電気的にデータ書換可能なフラッシュメモリを備える構成にすることができる。このＲＯＭ１１Ｂとしてのフラッシュメモリには、例えば外部情報端末５００の情報を格納しておくことができる。この他、表示機器１は、外部情報端末５００から取得した電子書籍等の表示対象データを、このフラッシュメモリに記憶する構成にすることができる。
【００８２】
即ち、制御装置１１は、外部情報端末５００から受信した表示対象データ（情報コンテンツ）を、フラッシュメモリに記憶し、このフラッシュメモリから表示対象データを読み出して、第一投影機１９、第二投影機３９及び第三投影機５９に対する表示制御を行う構成にすることができる。
【００８３】
この他、表示機器１は、スピーカを備え、表示対象データとしての動画データに含まれる音声を、スピーカから再生する構成にされてもよい。
また、表示機器１は、表示対象データとして、外部情報端末５００が自己の液晶ディスプレイに表示する画面のデータを、外部情報端末５００から受信し、この画面の複製を、スクリーン１００に表示する構成にされてもよい。
【００８４】
この他、表示機器１は、入力装置１３を介して複製画面に対するユーザ操作を受け付けて、このユーザ操作に従う画面更新を、第一投影機１９、第二投影機３９及び第三投影機５９に対する表示制御により実現すると共に、この操作情報を外部情報端末５００に無線通信装置１７を介して送信し、外部情報端末５００に、同期した画面更新を実行させる構成にされてもよい。
【００８５】
また、表示機器１は、単一の投影ユニット１０のみを備える構成にされてもよい。この他、表示機器１は、複数の投影ユニット１０，３０，５０の内、第一投影ユニット１０及び第二投影ユニット３０のみを備える構成にされてもよい。更に言えば、表示機器１は、複数の投影ユニット１０，３０，５０の内、第二投影ユニット３０及び第三投影ユニット５０のみを備える構成にされてもよい。但し、この場合には、第一投影ユニット１０が備える表示機器１の動作に不可欠な構成を、第二投影ユニット３０又は第三投影ユニット５０に搭載する必要がある。
【００８６】
また、第三投影ユニット５０は、第二投影ユニット３０に代えて、第一投影ユニット１０に設けられてもよい。即ち、表示機器１は、第一投影ユニット１０の筐体内に収納可能な第三投影ユニット５０が、第一投影ユニット１０に連結された構成にされてもよい。更に言えば、表示機器１は、第二投影ユニット３０に収納可能な第三投影ユニット５０を備えると共に、第一投影ユニット１０に収納可能な第四投影ユニットを備えた構成にされてもよい。このような構成は、第一投影ユニット１０及び第四投影ユニットの構造を、第二投影ユニット３０及び第三投影ユニット５０と同様のものとすることで実現できる。
【００８７】
この他、表示機器１は、第三投影ユニット５０及び第四投影ユニットが、第二投影ユニット３０及び第一投影ユニットの夫々に対して着脱自在に連結された構成にされてもよい。このように表示機器１を構成すれば、第三投影ユニット５０及び第四投影ユニットをオプション品として販売することも可能である。
【００８８】
また、第三投影ユニット５０や第四投影ユニットには、更に別の投影ユニットを連結してもよい。即ち、表示機器１は、第一投影ユニット１０及び第二投影ユニット３０の夫々に対して、複数の投影ユニットが一列に連結された構成にされてもよい。
【００８９】
更に、これら複数の投影ユニットの各連結部は、隣り合う投影ユニットを着脱可能な連結部として構成されてもよい。この他、表示機器１は、これら複数の投影ユニットの夫々に関して、隣り合う投影ユニットを折畳可能に、又は、一方の投影ユニットを他方の投影ユニットに収納可能に構成されると、ユーザが表示機器１をコンパクトに持ち運ぶことができて大変便利である。
【００９０】
この他、上記実施例の表示機器１は、ロールスクリーン７０を内蔵した表示機器２に変形されてもよい。図９及び図１０に示す変形例の表示機器２は、ロールスクリーン７０を備えることを除いて、上述した表示機器１と同一構成にされる。
【００９１】
図９及び図１０に示す表示機器２は、第一投影ユニット１０の筐体内に、第一投影ユニット１０の長尺方向に沿う回転軸を有するロールスクリーン７０を備える。このロールスクリーン７０は、少なくとも、第一投影機１９、第二投影機３９及び第三投影機５９による画像Ｇ０の表示領域の末端までロールスクリーン７０を構成するスクリーン１００を引出可能な構成にされる。
【００９２】
このようなロールスクリーン７０を備える表示機器２によれば、ユーザは、スクリーンの代わりとなるノート等を所持していない場合でも、ロールスクリーン７０を構成するスクリーン１００を引き出す程度で、表示機器２にスクリーン１００上において良好な画像を表示させることができる。
【００９３】
また、上記実施例の表示機器１は、図１１に示すように、投影ユニット１０，３０，５０の筐体底面に対応する位置に磁石８０を備えた表示機器３に変形されてもよい。変形例の表示機器３は、磁石８０を備えることを除いて、上記実施例の表示機器１と同一構成にされる。
【００９４】
このような磁石８０を備える表示機器３は、例えば、スクリーン１００としての、ホワイトボードや白い冷蔵庫の側壁等に、磁力により貼り付けられて使用される。この表示機器３によれば、図１２に示すように、ホワイトボード等のスクリーン１００に、磁石８０により固定された状態で、スクリーン１００上に画像表示することにより、例えば、電子掲示板として機能することができる。
【００９５】
電子掲示板として高い機能を発揮するために、表示機器３は、例えば、スクリーン１００上に対する表示対象データを、無線通信により外部情報端末５００から取得して、これをフラッシュメモリで構成されるＲＯＭ１１Ｂに記憶し、ＲＯＭ１１Ｂが記憶する表示対象データに基づく画像をスクリーン１００上に表示する構成にされるとよい。
【００９６】
この他、上記実施例の表示機器１は、図１３に示すように、第一投影ユニット１０４と、第二投影ユニット３０４とが、１８０度の角度まで回動可能に連結されてなる表示機器４に変形されてもよい。
【００９７】
図１３に示す変形例の表示機器４は、第一投影ユニット１０４と第二投影ユニット３０４とが連結材Ｊ０を介して互いに０度（図１３上段参照）から１８０度（図１３下段参照）の角度まで回動可能に連結されている点で、ハードウェア的には、上記実施例の表示機器１と異なる。
【００９８】
尚、第一投影ユニット１０４は、表示機器１が備える第一投影ユニット１０に対応するものであり、第二投影ユニット３０４との連結部位が第一投影ユニット１０と異なる程度のものである。また、第二投影ユニット３０４は、表示機器１が備える第二投影ユニット３０に対応するものであり、第一投影ユニット１０４との連結部位が第二投影ユニット３０と異なる程度のものである。この第二投影ユニット３０４は、表示機器１と同様に、第三投影ユニット５０を収納可能な構成にされる。
【００９９】
更に言えば、変形例の表示機器４は、表示機器１が備える状態検知装置１５に対応する状態検知装置１５４が、開閉状態として、第一投影ユニット１０４と第二投影ユニット３０４とが互いに角度９０度まで展開された状態（図１３中段参照）、第一投影ユニット１０４と第二投影ユニット３０４とが互いに角度１８０度まで展開された状態（図１３下段参照）、及び、それ以外の状態を検知して、これら三つの状態のいずれかを表す検知信号を制御装置１１に入力されている点で、ハードウェア的には、上記実施例の表示機器１と異なる。
【０１００】
但し、ここで言及した点を除けば、表示機器４は、基本的に、上記実施例の表示機器１とハードウェア的には同一構成にされる。
この表示機器４の制御装置１１は、第一投影ユニット１０４と第二投影ユニット３０４とが互いに角度９０度の位置に直交配置されている状態では、表示機器１と同様の表示制御を行う。一方、状態検知装置１５４からの検知信号に基づき、第一投影ユニット１０４と第二投影ユニット３０４とが互いに角度１８０度まで展開されている状態にあると判断した場合には、第一投影ユニット１０４及び第二投影ユニット３０４が互いに異なる画像Ｇ１，Ｇ２を表示するように、第一投影機１９及び第二投影機３９に対する表示制御を行う。
【０１０１】
第一投影ユニット１０４と第二投影ユニット３０４とが互いに角度１８０度まで展開されている状態では、図１３下段に示すように、第一投影ユニット１０４及び第二投影ユニット３０４の夫々が画像表示可能なスクリーン１００上の領域が異なる。
【０１０２】
このため、制御装置１１は、表示対象データが電子書籍等のマルチページデータである場合には、第一投影ユニット１０４による表示ページの次ページを、第二投影ユニット３０４に表示させるようにして、第一投影ユニット１０４及び第二投影ユニット３０４が互いに異なる画像Ｇ１，Ｇ２を表示するように、第一投影機１９及び第二投影機３９に対する表示制御を行う。
【０１０３】
このように構成される表示機器４によれば、表示機器１よりもスクリーン１００上での表示面積が増えるので、ユーザに対し、多くの情報を一度に表示することができる。尚、制御装置１１は、第一投影ユニット１０４と第二投影ユニット３０４とが互いに角度１８０度まで展開された状態にあるときには、第三投影ユニット５０による光の投影を行わないようにすることができる。
【０１０４】
上述した表示機器１，２，３，４が備える構成の内、組合せ可能な構成については、それらをどのように組み合わせても構わないことを、最後に言及しておく。
【符号の説明】
【０１０５】
１，２，３，４…表示機器、１０，３０，５０，１０４，３０４…投影ユニット、１０Ｂ，３０Ｂ，５０Ｂ…底面、１１…制御装置、１１Ａ…ＣＰＵ、１１Ｂ…ＲＯＭ、１１Ｃ…ＲＡＭ、１３…入力装置、１３Ｘ，１３Ｙ…ボタンスイッチ、１５，１５４…状態検知装置、１７…無線通信装置、１９，３９，５９…投影機、２１…バッテリ、３０Ｐ…開口部、３１…スライド機構、７０…ロールスクリーン、８０…磁石、１００…スクリーン、５００…外部情報端末、Ｇ０，Ｇ１，Ｇ２…画像、Ｊ０…連結材、Ｒ１，Ｒ２…区画。
【図１】
2014106290.tif 000003
【図２】
2014106290.tif 000004
【図３】
2014106290.tif 000005
【図４】
2014106290.tif 000006
【図５】
2014106290.tif 000007
【図６】
2014106290.tif 000008
【図７】
2014106290.tif 000009
【図８】
2014106290.tif 000010
【図９】
2014106290.tif 000011
【図１０】
2014106290.tif 000012
【図１１】
2014106290.tif 000013
【図１２】
2014106290.tif 000014
【図１３】
2014106290.tif 000015